(57)【要約】 【課題】エンドポイントから送信する自己診断情報の通信方法を改良して故障回復時間を短縮することが可能なPCI Express 通信システムを提供することを目的とする。【解決手段】複数のエンドポイント３ａ〜３ｃに対して、同時に、同じ伝送周期を予め設定する時刻同期信号を生成する時刻同期信号生成部１ａを備えるルートコンプレックス１と、時刻同期信号を受信して、夫々のエンドポイントから前記ルートコンプレックスに送信するデータについて、当該データの伝送タイミングとデータ帯域幅とを、予め排他的に設定する同期送信設定部３ａ１〜３ｃ１を備える複数のエンドポイントと、ルートコンプレックスとエンドポイントとの間のデータの伝送を中継するスイッチ２とを備え、当該データのエラーの有無を設定された当該データ帯域幅においてルートコンプレックスに送信するようにしたことを特徴とする。【選択図】  図１
2011071579.tif 000002
【特許請求の範囲】
【請求項１】
伝送するデータのデータ帯域幅を予め設定したPCI Express 通信システムであって、
複数のエンドポイントに対して、同時に、同じ伝送周期を予め設定する時刻同期信号を生成する時刻同期信号生成部を備えるルートコンプレックスと、
前記時刻同期信号を受信して、夫々の前記エンドポイントから前記ルートコンプレックスに送信するデータについて、当該データの伝送タイミングと前記データ帯域幅とを、予め排他的に設定する同期送信設定部を備える前記複数のエンドポイントと、
前記ルートコンプレックスと前記エンドポイントとの間のデータの伝送を中継するスイッチと
を備え、
夫々の前記エンドポイントから前記ルートコンプレックスに伝送するデータのデータ帯域幅を予め設定して、当該データのエラーの有無を設定された当該データ帯域幅において前記ルートコンプレックスに送信するようにしたことを特徴とするPCI Express 通信システム。
【請求項２】
前記時刻同期信号は、メッセイジコードに特定の値を設定したＴＬＰとして送信し、前記同期送信設定部は、前記時刻同期信号を受信して、当該時刻同期信号に同期して夫々のエンドポイントから送信するデータの伝送タイミングとデータ帯域幅とを指定する送信値を有する伝送帯域基準信号を生成するカウンタ設定回路と、
前記伝送帯域基準信号の送信値のいずれかと、予め設定される自エンドポイントが送信値とが一致したことを判定して、一致した送信値の伝送タイミングで、トランザクション層の自己診断情報を送信する送信値判定回路と
を備える請求項１に記載のPCI Express 通信システム。
【請求項３】
前記時刻同期信号の伝送周期は、前記複数のエンドポイントのデータ帯域幅を加算した値以上に設定した請求項１に記載のPCI Express 通信システム。
【請求項４】
伝送するデータのデータ帯域幅を予め設定したPCI Express 通信システムであって、
複数のエンドポイントから伝送されるデータの伝送周期を、予め、当該エンドポイント間で排他的な伝送タイミングで伝送されるように設定される時刻同期信号を生成する時刻同期信号生成部を備えるルートコンプレックスと、
前記時刻同期信号に応答して、予め設定されたデータ帯域幅で前記ルートコンプレックスにデータを伝送する前記複数のエンドポイントと、
前記ルートコンプレックスと前記エンドポイントとの間のデータの伝送を中継するスイッチと
を備え、
夫々の前記エンドポイントから伝送するデータの伝送周期を排他的に設定して、伝送するデータの自己診断情報を、予め設定されたデータ帯域幅において前記ルートコンプレックスに送信するようにしたことを特徴とするPCI Express 通信システム。
【発明の詳細な説明】
【技術分野】
【０００１】
本発明は、PCI Express 通信システムに係り、特に、エンドポイントから送信する自己診断情報の通信方法を改良したPCI Express 通信システムに関する。
【背景技術】
【０００２】
PCI Express（登録商標）バスは、コンピュータシステム及び他の電子デバイスのデータを転送するために近年開発された、ポイント・ツー・ポイント接続による高速シリアルインタフェースで、従来のパラレル伝送に比べバスの基板占有面積が少なく一層の小型化が可能で、多分野でその用途が検討されている。
【０００３】
この規格の詳細は、PCI規格の制定母体であるPCI-SIG(Peripheral Component Interconnect-Special Interest Group)によってPCI Express Base Specificationとして規格化され、また、この規格の解説書も出版されている（例えば、非特許文献１参照。）。
【０００４】
先ず、図７乃至図１０を参照して、このPCI Express 通信システムの概略を説明する。PCI Express 通信システムの構成は、例えば、図７に示すように、ルートコンプレックス１、スイッチ２、及びエンドポイント３（３ａ、３ｂ、３ｃ、３ｄ）のデバイスから成る。
【０００５】
また、ルートコンプレックス１、スイッチ２は夫々複数のポートを有し、これらとエンドポイント３の相互間を接続するPCI Expressバス７ａ〜７ｅは、図８に示すような３層のレイヤー構造を備える。
【０００６】
夫々の層は、最上位のドライバ及びアプリケーションソフトウェアからなる上位のソフトウェア層に対して従来のPCI互換サービスとエンド・ツー・エンドでデータの確実な通信を保証するトランザクション層１０１、隣接したコンポーネント間での確実なデータ通信を保障するデータリンク層１０２、通信パケットを物理媒体上で送受信する物理層１０３から成り、送受信するデータをパケットの形式で伝送する。
【０００７】
さらに、ルートコンプレックス１は、PCI Express 通信システムのツリー構造の最上位に位置し、システムバスでＣＰＵ５と、メモリバスでメモリ６とそれぞれ接続される。
【０００８】
この構成では、ルートコンプレックス１とエンドポイント３ａの通信では、スイッチ２がTLPの中継デバイスとなり、エンドポイント３ａとエンドポイント３ｄとの通信では、スイッチ２とルートコンプレックス１が中継デバイスとなる。
【０００９】
このように構成されたPCI Express 通信システムのデバイス間の伝送路の接続は、ポイント・ツー・ポイント接続となっており、片方向の差動増幅器を２つ使用するデュアル・シンプレックス方式で、リンク速度は２．５Ｇbpsの帯域を有し、双方向では５Ｇbpsの帯域を備える。
【００１０】
さらに、この双方向の伝送路（レーンと呼ぶ）を２組から３組まで増やすことにより、バスの帯域幅をスケーラブルに構成することが可能で、この伝送路上でパケットを送受信することによりデータの伝送を実行する。
【００１１】
各層のパケットは、図８に示すようにトランザクション層及びデータリンク層で生成され、夫々トランザクション層パケット（TLP、Transaction Layer Packet）、データリンク層パケット（DLLP、Data Link Layer Packet）と呼ばれる。
【００１２】
また、物理層においてもリンク制御のために物理層パケット（PLP、Physical Layer Packet）が生成される。
【００１３】
また、各層のパケットは、リンクで接続される相手の同じ層との間でやり取りされ、図９に示すように、下位のプロトコル層で前後に情報を付加され、最終的に伝送路に送信される。受信されたパケットは、各プロトコル層で前後の情報を削除して、上位のプロトコル層に渡される。
【００１４】
詳細には、エンド・ツー・エンドの通信を行うTLPは、トランザクション層でTLPヘッダ、データ・ペイロード、及びオプションのTLPダイジェスト（ECRC、End-to-end CRCと呼ばれる）を構成し、データリンク層で送信時にシーケンス番号とLCRCが付加され、受信時に検査後削除される。
【００１５】
DLLPは、TLPの送達応答（肯定応答ACKと否定応答NAK）など、リンク双方で情報をやり取りする短いパケットである。
【００１６】
さらに、各TLPには、物理層の受信側で開始と終了を検出するための制御キャラクタ（STPとEND）がパケットの両端に付加される。また、各DLLPには、DLLP開始と終了を検出するための制御キャラクタ（SDPとEND）がパケットの両端に付加される。
【００１７】
このような対称な双方向のシリアルバスを用いたデータ伝送においては、単一方向のデータ転送の場合には対向するバスはＡＣＫ応答しか返さないので、単位時間当たりに伝送できるデータ量、即ち、データ帯域幅に無駄が生じるので、バスの多重度を非対称にすることで、データ帯域幅の低下を抑止する方法がある（例えば、特許文献１参照）。
【００１８】
また、データ伝送時の応答を返す際だけでなく、エンドポイント自身が検出するエラー等の自己診断情報をルートコンプレックスに伝える際にも、データ帯域幅の低下や送信の遅延が生じる問題がある。
【００１９】
次に、このように構成されるPCI Express 通信システムにおいて、エンドポイントがエラーを検出した場合のトランザクション層でのエラー処理の問題点について図１０を参照してその詳細を説明する。
【００２０】
図１０は、ルートコンプレックス１、スイッチ２、及びエンドポイント３ａ〜３ｃから構成されるPCI Express 通信システムにおいて、エンドポイント３ａから送信するデータの送信中にエラーを検出した場合の問題点を説明する図である。
【００２１】
図１０（ａ）は、エンドポイント３ａからルートコンプレックス１宛てにデータ付きコンプリーション、即ち、ＴＬＰ１を送信中にエンドポイント３ｂがルートコンプレックス１宛てに１０２４ダブルワード（以後ＤＷと記す）のＴＬＰ２の送信を開始した後、エンドポイント３ａ内で、ＴＬＰ１の未送信のデータに修復が不可能なエラーを検出した場合の状態を図示したものである。
【００２２】
この場合、エンドポイント３ａは、図１０（ｂ）に示すようにＴＬＰの末尾の制御キャラクタは「END」でなく、「EDB」（EnD Bad）を付加してＴＬＰ１を無効化し、続いて、ルートコンプレックス１宛てに、このエラーが致命的であることを示すエラーメッセージのＴＬＰ３を送信しようとする。
【００２３】
エンドポイント３ｂから送信したＴＬＰ２は、ＴＬＰ１の送信が終わるまでスイッチ２内のバッファ内で待機状態となっているため、図１０（ｃ）に示すように、ＴＬＰ１の送信が終わると、スイッチ２は、ＴＬＰ２をルートコンプレックス１宛てに送信する。エラーメッセージのＴＬＰ３は、ＴＬＰ２が送信中のため、スイッチ２のバッファ内で待機する。
【００２４】
そして、図１０（ｄ）に示すように、ＴＬＰ２の送信が完了すると、ＴＬＰ３をルートコンプレックス１宛てに送信を開始する。
【００２５】
上記のようなケースでは、エラーメッセージのＴＬＰ３は、２．５Ｇbpsでレーン数１の場合、最大約１６μsec（1024DW×16ns/DW）の遅延が発生する問題がある。スイッチ２が多くのエンドポイントを接続したシステムの場合には、この遅延はさらに大きくなる可能性がある。
【００２６】
また、エンドポイント３ｃがエンドポイント３ａの待機系デバイスとして構成され、このエラーメッセージのＴＬＰ３をトリガにしてデバイスの切替えを実行するような二重化システムの場合には、故障した稼動中のエンドポイン３ａを待機系のエンドポイント３ｃに切り替える切替え時間の遅延が、二重化システムの故障となる問題がある。
【先行技術文献】
【特許文献】
【００２７】
【特許文献１】特開２００８−２１９７６６号公報
【非特許文献】
【００２８】
【非特許文献１】荒井信隆、里美尚志、田中顕裕、「PCI Express 入門講座」（株）電波新聞社、２００７年４月１日発行、第１章〜第５章
【発明の概要】
【発明が解決しようとする課題】
【００２９】
以上説明したように、従来のPCI Express 仕様に基づくTLPトランザクションについては、エラー検出時にエンドポイントからルートコンプレックスに検出した自己診断情報としてのエラーの送信に遅延が発生するので、システムの故障回復時間が遅くなる問題がある。
【００３０】
本発明は上記問題点を解決するために成されたもので、エンドポイントから送信する自己診断情報の通信方法を改良して故障回復時間を短縮することが可能なPCI Express 通信システムを提供することを目的とする。
【課題を解決するための手段】
【００３１】
上記目的を達成するために、本発明による請求項１に係るPCI Express 通信システムは、伝送するデータのデータ帯域幅を予め設定したPCI Express 通信システムであって、複数のエンドポイントに対して、同時に、同じ伝送周期を予め設定する時刻同期信号を生成する時刻同期信号生成部を備えるルートコンプレックスと、前記時刻同期信号を受信して、夫々の前記エンドポイントから前記ルートコンプレックスに送信するデータについて、当該データの伝送タイミングと前記データ帯域幅とを、予め排他的に設定する同期送信設定部を備える前記複数のエンドポイントと、前記ルートコンプレックスと前記エンドポイントとの間のデータの伝送を中継するスイッチとを備え、夫々の前記エンドポイントから前記ルートコンプレックスに伝送するデータのデータ帯域幅を予め設定して、当該データのエラーの有無を設定された当該データ帯域幅において、前記ルートコンプレックスに送信するようにしたことを特徴とする。
【００３２】
上記目的を達成するために、本発明による請求項４に係るPCI Express 通信システムは、伝送するデータのデータ帯域幅を予め設定したPCI Express 通信システムであって、複数のエンドポイントから伝送されるデータの伝送周期を、予め、当該エンドポイント間で排他的な伝送タイミングで伝送されるように設定される時刻同期信号を生成する時刻同期信号生成部を備えるルートコンプレックスと、前記時刻同期信号に応答して、予め設定されたデータ帯域幅で前記ルートコンプレックスにデータを伝送する前記複数のエンドポイントと、前記ルートコンプレックスと前記エンドポイントとの間のデータの伝送を中継するスイッチとを備え、夫々の前記エンドポイントから伝送するデータの伝送周期を排他的に設定して、伝送するデータの自己診断情報を、予め設定されたデータ帯域幅において前記ルートコンプレックスに送信するようにしたことを特徴とする。
【発明の効果】
【００３３】
本発明によれば、エンドポイントから送信する自己診断情報の通信方法を改良して故障回復時間を短縮することが可能なPCI Express 通信システムを提供することができる。
【図面の簡単な説明】
【００３４】
【図１】本発明のPCI Express 通信システムの構成図。
【図２】本発明の実施例１のPCI Express 通信システムの動作説明図。
【図３】本発明のエンドポイントの構成とエンドポイントの動作の説明図。
【図４】本発明のエラー検出時の動作の比較説明図
【図５】本発明の実施例２のPCI Express 通信システムの構成図。
【図６】本発明の実施例２のPCI Express 通信システムの動作の説明図。
【図７】従来のPCI Express 通信システムの構成図。
【図８】従来のPCI Expressの構造を説明する図。
【図９】従来のTLPフォーマットの説明する図。
【図１０】従来のPCI Express 通信システムの問題点を説明する図。
【発明を実施するための形態】
【００３５】
以下、図面を参照して、本実施例について説明する。
【実施例１】
【００３６】
以下、本発明に係るPCI Express 通信システム実施例について、図面を参照して説明する。
【００３７】
先ず、図１乃至図４を参照して、説明する。この実施例１の各部について、図７乃至図１０に示す従来の実施例のPCI Express 通信システムと同一部分は同一符号で示し、その説明を省略する。
【００３８】
図１に示す本実施例１の構成が、図７に示す従来のPCI Express 通信システムの実施例と異なる点は、ルートコンプレックス１に時刻同期信号生成部１ａ１を備え、また、エンドポイント３ａ乃至エンドポイント３ｃに、時刻同期信号生成部１ａ１からの時刻同期信号を受信して、夫々が、排他的に自己診断情報を含むデータの伝送タイミングとそのデータ帯域幅とを設定する同期送信設定部３ａ１、同期送信設定部３ｂ１、及び同期送信設定部３ｃ１を備えるようにしたことにある。
【００３９】
各部の構成と動作を説明する前に、先ず、図２を参照して実施例１の発明の原理を説明する。
【００４０】
複数のエンドポイント３ａ乃至エンドポイント３ｃからのデータを、スイッチ２を介してルートコンプレックス１が予め設定されたデータ帯域幅で受信できるように構成されたPCI Express 通信システムであって、ルートコンプレックス１に備える、時刻同期信号生成部１ａ１において、予め設定される伝送周期の時刻同期信号ｓ１を生成し、スイッチ２を介して、複数のエンドポイント３ａ乃至エンドポイント３ｃに対して、図２（ａ）に示すように、同じ時刻同期信号ｓ１を、同時に送信する（マルチキャスト）。
【００４１】
そして、夫々のエンドポイント３ａ乃至エンドポイント３ｃは、時刻同期信号ｓ１を受信して、時刻同期信号ｓ１に同期し、予め設定される伝送タイミングとデータ帯域幅とを設定する夫々の同期信号設定部３ａ１乃至同期信号設定部３ｃ１において、排他的に自エンドポイントから夫々の伝送タイミング信号３ａ１乃至伝送タイミング信号３ｃ１を生成し、夫々のデータ帯域幅において、データとそのデータの自己診断情報とを同時に送信することで、自己診断情報の遅延を遅滞なくルートコンプレックス１に伝送することを発明の原理としている。
【００４２】
次に、その様な伝送タイミング信号を生成するエンドポイント３ａ（３ｂ、３ｃ、これら全てのエンドポイントを呼称する場合はエンドポイント３と言う）の構成と動作について、図３を参照して説明する。
【００４３】
エンドポイント３ａの同期送信設定部３ａ１は、ルートコンプレックス１から時刻同期信号ｓ１として、メッセイジコードに特定の値を設定したＴＬＰを受信し、当該時刻同期信号ｓ１に同期し、自エンドポイント３ａから送信するデータの伝送タイミング、データ帯域幅、及び夫々のエンドポイント３のデータ帯域幅を指定する送信値を有する伝送帯域基準信号ｓ２を生成するカウンタ設定回路１１ａと、当該送信値のいずれかと、予め設定される自エンドポイント３ａの送信値とが一致したことを判定して、一致した送信値の伝送タイミング（信号ｓ３ａ）で、トランザクション層の自己診断情報を送信する送信値判定回路１２ａとを備える。
【００４４】
このように構成された同期送信設定部３ａ１の動作について、図３（ｂ）を参照して説明する。時刻同期信号ｓ１は、一定の周期Ｔｓで送信される。但し、この周期Ｔｓは、ルートコンプレックス１に接続される複数のエンドポイント３の夫々のデータ帯域幅が確保できるように、夫々のデータ帯域幅の総和時間以上に設定しておく。
【００４５】
カウンタ設定回路１１ａは、時刻同期信号ｓ１を起点として、図示しない内部クロック信号をカウントし、連続した送信値（１〜ｎ）を有する伝送帯域基準信号ｓ２を生成する。例えば、ｎ個のエンドポイント３のデータ帯域幅を同じに設定する場合には、夫々の送信値の幅はＴｓ／ｎとして同一の信号幅に設定し、送信値は時系列でインクリメントされるように構成する。
【００４６】
また、このカウンタ回路１１ａは、いずれのエンドポイント３においても同じ構成で、同じ伝送帯域基準信号ｓ２を生成するようにしておく。
【００４７】
次に、送信値判定回路１２ａは、カウンタ回路１１ａから出力される伝送帯域基準信号ｓ２のいずれかの送信値を選択して、自エンドポイント３の伝送タイミング信号ｓ３ａ（〜ｓ３ｎ）を生成するもので、夫々のエンドポイント３で異なる送信値が排他的に予め設定される。
【００４８】
例えば、エンドポイント３ａでは、伝送帯域基準信号ｓ２の送信値１と予め設定されたエンドポイント３ａに設定された送信値１とが一致するタイミングで伝送タイミング信号ｓ３ａが生成され、エンドポイント３ｂでは、伝送帯域基準信号ｓ２の送信値２と予め設定された送信値２とが一致するタイミングで伝送タイミング信号ｓ３ｂが生成される。
【００４９】
このように構成されたエンドポイント３は、予め設定された伝送帯域基準信号ｓ２から、夫々の送信値で設定されるタイミングで、夫々のエンドポイントのデータとそのデータの自己診断情報を排他的に送信することができる。
【００５０】
この自己診断情報には、トランザクション層のソフトエラーに起因するデータのエラー情報だけでなく、PCI Express 通信部野上位回路のハード的な故障情報も検出できるように構成しておく。
【００５１】
設定された送信値の伝送タイミングでＴＬＰを送信した際の自己診断情報を直ちにルート送信することができる。
【００５２】
また、伝送帯域基準信号ｓ２の夫々の送信値の信号幅を任意に設定して、夫々のエンドポイントから送信するデータのデータ帯域幅を異なるように設定することも出来る。
【００５３】
次に、このように構成されたPCI Express 通信システムのエラー検出時の動作について図４を参照して、従来技術によるエラー検出時の動作（図４（ａ））と、本実施例による動作（図４（ｂ））とをタイムチャートで対比して説明する。
【００５４】
エンドポイント３ａからルートコンプレックス１に対してコンプリーションデータの伝送を開始（ｔ１）する。このデータ送信中にエンドポイント３ｂからルートコンプレックス１にデータの伝送が開始（ｔ２）されたとする。
【００５５】
この後、エンドポイント３ａの送信データにエラーが検出され（ｔ３）、そのエラーの自己診断情報を時刻ｔ４で伝送したとすると、エンドポイント３ｂからデータの送信が無い場合には、ルートコンプレックス１には、時刻ｔ５で遅滞なく受信されるが、エンドポイント３ｂからデータの送信が時刻ｔ２であった場合には、エンドポイント３ｂからのデータ送信がルートコンプレックス１で受信される時刻ｔ６後、エンドポイント３ａの自己診断情報が時刻ｔ７で受信される。
【００５６】
この場合、エンドポイント３ａからの自己診断情報は、このデータの伝送時間、最大約１６μｓｅｃを要するので、ルートコンプレックス１での自己診断情報はｔ５からｔ７まで、約１６μｓｅｃ遅延する。
【００５７】
ところが、本実施例によれば、同期信号設定部３ａ１によって夫々の伝送タイミング、データ帯域幅が排他的に設定されているので、エンドポイント３ａの自己診断情報は遅延なく、ルートコンプレックス１に時刻ｔ５で受信される。
【００５８】
したがって、ルートコンプレックス１は、予め設定された送信値の伝送タイミングでＴＬＰを送信した際の自己診断情報を直ちにルートコンプレックス１に送信することができるので、ルートコンプレックス１側で判断するシステムの故障回復時間を短縮することができる。
【００５９】
また、この実施例によれば、中継するスイッチ２に特別な改造をする必要がなく、汎用品を使用することができる。
【実施例２】
【００６０】
次に、実施例２について、図５、図６を参照して説明する。図５に示す本実施例２の構成が、図１、図２に示す実施例１と異なる点は、実施例１では、ルートコンプレックス１に備える時刻同期信号生成部１ａ１では、システム全体の伝送周期を１つの周期の時刻同期信号で設定し、夫々のエンドポイント３が、この時刻同期信号ｓ１に同期した伝送帯域基準信号ｓ２を生成し、夫々のエンドポイント３が伝送帯域基準信号ｓ２から、自エンドポイントのデータ帯域幅を排他的に設定するように構成したが、実施例２では、ルートコンプレックス１から複数の時刻同期信号ｓ１を、夫々のエンドポイントに対して排他的な伝送タイミングで送信して夫々のデータ帯域幅を設定するようにしたことにある。
【００６１】
したがって、スイッチ２とエンドポイント３とは、汎用品で構成することができる。
【００６２】
例えば、図５に示すように、エンドポイント３ａに対しては時刻同期信号ｓ１ａとしのＴＬＰを送信し、所定の時刻後に、エンドポイント３ｂに対して、時刻同期信号ｓ１ｂを送信する。
【００６３】
この時刻同期信号ｓ１ａと時刻同期信号ｓ１ｂとの間隔を所定の時間確保することで、エンドポイント３ａのデータ帯域幅を確保できるようにしておく。
【００６４】
図６には、本実施例によるデータ伝送のタイムチャートを示す。夫々の時刻同期信号ｓ１ａ（ｓ１ｂ、ｓ１ｃ）は、所定の周期Ｔｓで、且つ、その伝送タイミングを予め設定した間隔で送信することで夫々のエンドポイント３のデータ帯域幅を設定する。
【００６５】
本実施例２によれば、ルートコンプレックス１は、特定のメッセイジＴＰＬを、夫々のエンドポイント３に時刻同期信号ｓ１（ｓ１ｂ、ｓ１ｃ）として送信するので、ルートコンプレックス１自身の負荷が重くなるが、伝送路の負荷は軽くなる。
【００６６】
本発明は上述したような実施例に何ら限定されるものではなく、夫々のエンドポイントのデータ帯域幅を排他的に設定し、送信するデータとその自己診断情報を当該データ帯域幅において送信するようにしたものであれば良く、本発明の主旨を逸脱しない範囲で種々変形して実施することができる。
【符号の説明】
【００６７】
１  ルートコンプレックス
１ａ  時刻同期信号発生部
２  スイッチ
３、３ａ、３ｂ、３ｃ、３ｄ  エンドポイント
３ａ１、３ｂ１、３ｃ１  同期送信設定部
５  ＣＰＵ
６  メモリ
７ａ、７ｂ、７ｃ、７ｄ  PCI Expressバス
１１ａ  カウンタ設定回路
１２ａ  送信値判定回路
５  ＣＰＵ
６  メモリ
【図１】
2011071579.tif 000003
【図２】
2011071579.tif 000004
【図３】
2011071579.tif 000005
【図４】
2011071579.tif 000006
【図５】
2011071579.tif 000007
【図６】
2011071579.tif 000008
【図７】
2011071579.tif 000009
【図８】
2011071579.tif 000010
【図９】
2011071579.tif 000011
【図１０】
2011071579.tif 000012